(57)【特許請求の範囲】
【請求項１】
地上より高い部位に配設した密閉型缶胴と、地上のホットウエルとから成り、前記缶胴に、蒸気エゼクター等の真空発生源を接続すると共に、蒸気の導入口と冷却水の供給口とを設け、更に、前記缶胴の底部に、下方に延びる大気脚管を接続して成るバロメトリックコンデンサーにおいて、
前記缶胴と、排水用ピットとの間の高さの部位に、内部を大気に開放した水封用ポットを配設して、この水封用ポット内に、前記缶胴からの大気脚管の下端を水封状に挿入する一方、この水封用ポットに、当該水封用ポットから溢流する冷却水を前記ホットウエルに導く排水管を接続したことを特徴とするバロメトリックコンデンサーにおける排水装置。
【発明の詳細な説明】
【０００１】
【発明の属する技術分野】
本発明は、液体を蒸発濃縮する真空式蒸発装置等から発生する蒸気をバロメトリックコンデサーにおける密閉型缶胴内で凝縮する場合において、その凝縮に使用した冷却水を前記缶胴内から排水するための排水装置に関するものである。
【０００２】
【従来の技術】
一般に、この種のバロメトリックコンデンサーは、従来から良く知られ、且つ、図２（Ａ）に示すように、密閉型缶胴１内に、真空式蒸発装置等からの蒸気を、蒸気導入口２から導入して、缶胴１内において冷却水供給口３から供給される冷却水に直接的に接触することにより凝縮するもので、蒸気を凝縮したあとの冷却水を、前記缶胴１の底部から下方に延びる大気脚管４を通って、当該大気脚管４の下端を水封状に挿入した地上のホットウエル５に排水するように構成している。なお、符号６は、前記缶胴１内を所定の真空度に保持するための蒸気エゼクターを示す。
【０００３】
この場合においてバロメトリックコンデンサーは、その缶胴１を、その底部近傍と前記ホットウエル５における冷却水面との間に高さＨが少なくとも１０．３ｍ以上の大気脚を確保するような高さに設置することにより、前記缶胴１内を所定の真空度を保持した状態のもとで、この缶胴１内における冷却水を、大気脚管４を介してホットウエル５に排出するように構成している。
【０００４】
【発明が解決しようとする課題】
しかし、この種のバロメトリックコンデンサーにおいては、その缶胴１を、当該缶胴１の底部付近とホットウエル５における冷却水面との間に高さＨが少なくとも１０．３ｍの大気脚を確保するような高さ位置に設置すれば良い訳けであるが、バロメトリックコンデンサーを設置する場所においては、その缶胴１を、図２（Ｂ）に示すように、前記１０．３ｍの大気脚より遙かに高い位置に設置しなければならない場合が存在する。
【０００５】
このように、缶胴１を、前記１０．３ｍの大気脚より遙かに高い位置に設置しなければならない場合には、缶胴１の底部から下方に延びる大気脚管４内における冷却水面が、缶胴１の底部付近よりも遙かに下方に位置することになる。
そのために、前記大気脚管４内のうち冷却水面より上方の部分には、缶胴１内に導入した蒸気の一部が、大気脚管４内に向かって流下する冷却水によって引き込まれて、狭い大気脚管４内において急激に凝縮されることにより、この部分に激しい振動及び騒音が発生することになる。
【０００６】
つまり、高さＨの大気脚を１０．３ｍの近傍に設定したときには、大気脚管４内における冷却水面が缶胴１に近い所に位置することにより、蒸気の凝縮は、その殆どが缶胴内で行われるので、蒸気の凝縮に伴って大気脚管に発生する振動及び騒音は小さいが、バロメトリックコンデンサーの配設の都合上、その缶胴１の大気脚が１０．３ｍよりも遙かに大きくなる場合には、前記缶胴１からの大気脚管４に、当該大気脚管４内に引き込まれる蒸気の凝縮に起因して激しい振動及び騒音が発生すると言う問題があった。
【０００７】
本発明は、この問題を解消した排水管装置を提供することを技術的課題とするものである。
【０００８】
【課題を解決するための手段】
この技術的課題を達成するため本発明は、
「地上より高い部位に配設した密閉型缶胴と、地上のホットウエルとから成り、前記缶胴に、蒸気エゼクター等の真空発生源を接続すると共に、蒸気の導入口と冷却水の供給口とを設け、更に、前記缶胴の底部に、下方に延びる大気脚管を接続して成るバロメトリックコンデンサーにおいて、
前記缶胴と、ホットウエルとの間の高さの部位に、内部を大気に開放した水封用ポットを配設して、この水封用ポット内に、前記缶胴からの大気脚管の下端を水封状に挿入する一方、この水封用ポットに、当該水封用ポットから溢流する冷却水を前記ホットウエルに導く排水管を接続する。」
と言う構成にした。
【０００９】
【発明の作用・効果】
このように、缶胴と、ホットウエルとの間の高さの部位に、内部を大気に開放した水封用ポットを配設して、この水封用ポット内に、前記缶胴からの大気脚管の下端を水封状に挿入する一方、この水封用ポットに、当該水封用ポットから溢流する冷却水を地上のホットウエルに導く排水管を接続することにより、前記缶胴内における冷却水を、大気脚管、水封用ポット及び排水管を介してホットウエルに円滑に排出することができるものでありながら、缶胴に対する大気脚の高さは、前記水封用ポットにおける冷却水面からの高さになるから、前記缶胴を、地上から１０．３ｍよりも遙かに高い部位に配設した場合において、前記大気脚管内における冷却水面を、地上から缶胴までの高さにかかわらず、前記缶胴の底部近傍に位置することができるのである。
【００１０】
従って、本発明によると、バロメトリックコンデンサーにおいて、その缶胴を、地上から１０．３ｍよりも遙かに高い部位に配設した場合に、前記缶胴からの大気脚管に振動及び騒音が発生することを確実に低減できる効果を有する。
【００１１】
【発明の実施の形態】
以下、本発明の実施の形態を、図１の図面について説明する。
この図において、符号１１は、密閉型の缶胴を示し、この缶胴１１は、地上面１２よりの高さが可成り高い部位に配設されている。
また、前記地上面１２には、ホットウエル１３が設けられている。
【００１２】
前記缶胴１１の上部は、蒸気エゼクター１４等の真空発生源に接続され、また、この缶胴１１には、真空式蒸発装置（図示せず）等からの蒸気の導入口１５と、缶胴１１内への冷却水の供給口１６が設けられ、更にまた、この缶胴１１の底部には、大気脚管１７が、下向きに延びるように接続されている。
符号１８は、前記缶胴１１よりも低い部位で、且つ、前記地上面１２におけるホットウエル１３より高い部位、つまり、前記缶胴１１と、ホットウエル１３との間の高さの部位に配設した水封用ポットを示す。
【００１３】
この水封用ポット１８の内部は、大気に開放され、その内部に設けた冷却水溜室１８ａ内に、前記缶胴１１の底部から下向きに延びる大気脚管１７の下端を挿入して水封する一方、この水封用ポット１８には、その冷却水溜室１８ａから溢流する冷却水を、前記地上面１２におけるホットウエル１３に導くための排水管１９を接続する。
【００１４】
この構成において、缶胴１１内に導入口１５から流入した蒸気は、供給口１６から供給され缶胴１１内を複数段の多孔棚２０より雨状に流下する冷却水と直接に接触して凝縮される一方、冷却水は、缶胴１１の底部から大気脚管１７を通って水封用ポット１８における冷却水溜室１８ａ内に流出し、この冷却水溜室１８から溢れたのち排水管１９を通って地上面１２におけるホットウエル１３に排水される。
【００１５】
この場合において、前記缶胴１１の底部からの大気脚管１７は、水封用ポット１８における冷却水溜室１８ａ内に冷却水にて水封されるように挿入されていることにより、前記缶胴１１に対する大気脚の高さＨは、前記水封用ポット１８における冷却水面からの高さになり、その結果、前記缶胴１１を、地上面から１０．３ｍよりも遙かに高い部位に配設した場合において、前記大気脚管１７内における冷却水面を、地上面１２から缶胴１１までの高さにかかわらず、前記缶胴１１の底部に近い部位に位置したり、或いは、図示のように、缶胴１１の底部の位置したりすることができるから、前記缶胴１１を、地上面１２から１０．３ｍよりも遙かに高い部位に配設した場合に、前記缶胴１１からの大気脚管１７に振動及び騒音が発生することを確実に低減できるのである。
【００１６】
なお、前記実施の形態は、ホットウエル１３を地上面１２上に設けた場合を示したが、このホットウエル１３は、地上面１２を掘削して設けるようにしても良いことは言うまでもない。
【図面の簡単な説明】
【図１】本発明の実施の形態を示す縦断正面図である。
【図２】従来の形態を示す縦断正面図である。
【符号の説明】
１１                    缶胴
１２                    地上面
１３                    ホットウエル
１４                    蒸気エゼクター
１５                    蒸気の導入口
１６                    冷却水の供給口
１７                    大気脚管
１８                    水封用ポット
１８ａ                  冷却水溜室
１９                    排水管
【図１】
0003863254.tif 000002
【図２】
0003863254.tif 000003